【手続補正書】
【提出日】令和1年12月17日(2019.12.17)
【手続補正１】
【補正対象書類名】明細書
【補正対象項目名】発明の名称
【補正方法】変更
【補正の内容】
【発明の名称】発光材料、有機金属錯体、発光素子、発光装置、電子機器及び照明装置
【手続補正２】
【補正対象書類名】特許請求の範囲
【補正対象項目名】全文
【補正方法】変更
【補正の内容】
【特許請求の範囲】
【請求項１】
５−（２−ピリジニル）−５Ｈ−ベンゾイミダゾ［１，２−ａ］ベンゾイミダゾール構造を有する配位子を含む有機化合物を用いた発光材料。
【請求項２】
下記式（Ｇ０）で表される構造を有する有機化合物を用いた発光材料。
【化１】
2017119866.tif 000001
（但し、式（Ｇ０）中、Ｒ１からＲ１１はそれぞれ独立に、水素、置換又は無置換の炭素数１から６のアルキル基、ハロゲン基、ビニル基、置換又は無置換の炭素数１から６のハロアルキル基、置換又は無置換の炭素数１から６のアルコキシ基、置換又は無置換の炭素数１から６のアルキルチオ基、及び置換又は無置換のフェニル基から選ばれるいずれか一を表す。）
【請求項３】
下記式（Ｇ１）で表される部分構造を有する有機金属錯体を用いた発光材料。
【化２】
2017119866.tif 000002
（但し、式（Ｇ１）中、Ｍは第９族元素又は第１０族元素を表し、Ｒ１からＲ１１はそれぞれ独立に、水素、置換又は無置換の炭素数１から６のアルキル基、ハロゲン基、ビニル基、置換又は無置換の炭素数１から６のハロアルキル基、置換又は無置換の炭素数１から６のアルコキシ基、置換又は無置換の炭素数１から６のアルキルチオ基、及び置換又は無置換のフェニル基から選ばれるいずれか一を表す。）
【請求項４】
下記式（Ｇ２）で表される有機金属錯体を用いた発光材料。
【化３】
2017119866.tif 000003
（但し、式（Ｇ２）中、Ｍは第９族元素又は第１０族元素を表し、Ｒ１からＲ１１はそれぞれ独立に、水素、置換又は無置換の炭素数１から６のアルキル基、ハロゲン基、ビニル基、置換又は無置換の炭素数１から６のハロアルキル基、置換又は無置換の炭素数１から６のアルコキシ基、置換又は無置換の炭素数１から６のアルキルチオ基、及び置換又は無置換のフェニル基から選ばれるいずれか一を表す。また、Ｌはシクロメタル化による金属−炭素結合を形成しうる芳香族複素環２座配位子又はモノアニオン性キレート配位子を表す。また、Ｍが第９族元素の場合、ｎは０から２の整数を表し、ｍは１から３の整数を表し、ｎ＋ｍは３である。また、Ｍが第１０族元素である場合、ｎは０又は１であり、ｍは１又は２であり、ｎ＋ｍは２である。なお、ＬはＲ１からＲ１１のいずれか一又は複数と、直接結合、又は、置換もしくは無置換の炭素、置換もしくは無置換のケイ素、酸素、硫黄、窒素のいずれかを介した架橋による結合を有していても良い。）
【請求項５】
請求項４において、Ｌが下記式（Ｌ１）から（Ｌ１２）のいずれか一又は複数で表される発光材料。
【化４】
2017119866.tif 000004
【化５】
2017119866.tif 000005
（但し、式（Ｌ１）から（Ｌ１２）において、Ｒ２９からＲ３２、Ｒ７１からＲ１０２は、それぞれ独立に、水素、置換又は無置換の炭素数１から６のアルキル基、ハロゲン基、ビニル基、置換又は無置換の炭素数１から６のハロアルキル基、置換又は無置換の炭素数１から６のアルコキシ基、及び置換又は無置換の炭素数１から６のアルキルチオ基から選ばれるいずれか一を表す。また、Ａｒは置換又は無置換の炭素数６から１０のアリール基を表す。また、Ａ１からＡ３は、それぞれ独立に、窒素、水素と結合するｓｐ２混成炭素、または置換基Ｒと結合するｓｐ２炭素を表し、Ａ４からＡ１１は、それぞれ独立に、窒素、または置換基Ｒと結合するｓｐ２炭素を表し、前記置換基Ｒは炭素数１から６のアルキル基、ハロゲン基、炭素数１から６のハロアルキル基、またはフェニル基のいずれか一を表す。また、Ｘ１、Ｙ１、Ｚ１、Ｘ２、Ｚ２、Ｙ３、Ｚ３、Ｘ４及びＹ４はそれぞれ独立に窒素原子又は炭素原子を表す。なお、Ｘ１、Ｙ１及びＺ１はそのうち２又は３が炭素原子であり、当該炭素原子は置換基を有していても有していなくても良い。また、Ｘ２及びＺ２、Ｙ３及びＺ３、Ｘ４及びＹ４においては、一方が窒素原子であった場合、他方は炭素原子である。また、これらＸ１、Ｙ１、Ｚ１、Ｘ２、Ｚ２、Ｙ３、Ｚ３、Ｘ４及びＹ４が炭素原子であった場合、当該炭素原子は置換基を有していても有していなくても良い。）
【請求項６】
請求項１乃至請求項５のいずれか一項に記載の発光材料を有する発光素子。
【請求項７】
下記式（Ｇ５）で表される有機金属錯体。
【化６】
2017119866.tif 000006
（但し、式（Ｇ５）において、Ｒ１からＲ１１はそれぞれ独立に、水素、置換又は無置換の炭素数１から６のアルキル基、ハロゲン基、ビニル基、置換又は無置換の炭素数１から６のハロアルキル基、置換又は無置換の炭素数１から６のアルコキシ基、置換又は無置換の炭素数１から６のアルキルチオ基、及び置換又は無置換のフェニル基から選ばれるいずれか一を表す。また、Ａは五員複素芳香環骨格を表し、当該骨格中に２又は３の窒素原子を含み、Ａｒは炭素数６から１４の２価のアリーレン基又は炭素数３から１５且つヘテロ原子１から５の２価のヘテロアリーレン基を表す。なお、式（Ｇ５）においてＲ１からＲ１１が結合している炭素のいずれかとＡｒを構成する元素のいずれかは直接結合、又は置換もしくは無置換の炭素、置換もしくは無置換のケイ素、酸素、硫黄、窒素のいずれかを介した架橋により結合していても良い。）
【請求項８】
下記式（Ｇ５）で表される有機金属錯体。
【化７】
2017119866.tif 000007
（但し、式（Ｇ５）において、Ａはが下記式（ｐ１）から（ｐ４）で表される骨格のいずれか一を表す。）
【化８】
2017119866.tif 000008
（但し、式（Ｇ５）及び式（ｐ１）から式（ｐ４）において、Ｒ１からＲ１１及びＲ２９からＲ３１はそれぞれ独立に、水素、置換又は無置換の炭素数１から６のアルキル基、ハロゲン基、ビニル基、置換又は無置換の炭素数１から６のハロアルキル基、置換又は無置換の炭素数１から６のアルコキシ基、置換又は無置換の炭素数１から６のアルキルチオ基、及び置換又は無置換のフェニル基から選ばれるいずれか一を表す。また、式（Ｇ５）において、Ｒ１からＲ１１が結合する炭素のいずれかとＡｒを構成する元素のいずれかは直接結合、又は酸素、硫黄、窒素のいずれかを介した架橋により結合していても良い。また、式（ｐ１）から式（ｐ４）において、Ｘ１、Ｙ１、Ｚ１、Ｘ２、Ｚ２、Ｙ３、Ｚ３、Ｘ４及びＹ４は、それぞれ独立に窒素原子又は炭素原子を表す。なお、Ｘ１、Ｙ１及びＺ１はそのうち２又は３が炭素原子であり、当該炭素原子は置換基を有していても有していなくても良い。また、Ｘ２及びＺ２、Ｙ３及びＺ３、Ｘ４及びＹ４においては、一方が窒素原子であった場合、他方は炭素原子である。これらＸ１、Ｙ１、Ｚ１、Ｘ２、Ｚ２、Ｙ３、Ｚ３、Ｘ４及びＹ４が炭素原子であった場合、当該炭素原子は置換基を有していても有していなくても良い。）
【請求項９】
下記式（Ｇ５３）で表される有機金属錯体。
【化９】
2017119866.tif 000009
（但し、式（Ｇ５３）において、Ｒ１からＲ１０及びＲ２５からＲ２７はそれぞれ独立に、水素、置換又は無置換の炭素数１から６のアルキル基、ハロゲン基、ビニル基、置換又は無置換の炭素数１から６のハロアルキル基、置換又は無置換の炭素数１から６のアルコキシ基、置換又は無置換の炭素数１から６のアルキルチオ基、及び置換又は無置換のフェニル基から選ばれるいずれか一を表す。また、Ａは五員複素芳香環骨格を表し、当該骨格中に２又は３の窒素原子を含む。また、Ｑは単結合、炭素原子、ケイ素原子、酸素原子、硫黄原子及び窒素原子のいずれか一を表す。なお、Ｑが炭素原子又はケイ素原子である場合は置換基を有していても良い。）
【請求項１０】
下記式（Ｇ５３）で表される有機金属錯体。
【化１０】
2017119866.tif 000010
（但し、式（Ｇ５３）において、Ａはが下記式（ｐ１）から（ｐ４）で表される骨格のいずれか一を表す。）
【化１１】
2017119866.tif 000011
（但し、式（Ｇ５３）及び式（ｐ１）から式（ｐ４）において、Ｒ１からＲ１１、Ｒ２５からＲ２７及びＲ２９からＲ３１はそれぞれ独立に、水素、置換又は無置換の炭素数１から６のアルキル基、ハロゲン基、ビニル基、置換又は無置換の炭素数１から６のハロアルキル基、置換又は無置換の炭素数１から６のアルコキシ基、置換又は無置換の炭素数１から６のアルキルチオ基、及び置換又は無置換のフェニル基から選ばれるいずれか一を表す。また、式（Ｇ５３）において、Ｑは単結合、炭素原子、ケイ素原子、酸素原子、硫黄原子及び窒素原子のいずれか一を表す。なお、Ｑが炭素原子又はケイ素原子である場合は置換基を有していても良い。また、式（ｐ１）から式（ｐ４）において、Ｘ１、Ｙ１、Ｚ１、Ｘ２、Ｚ２、Ｙ３、Ｚ３、Ｘ４及びＹ４はそれぞれ独立に窒素原子又は炭素原子を表す。なお、Ｘ１、Ｙ１及びＺ１はそのうち２又は３が炭素原子であり、当該炭素原子は置換基を有していても有していなくても良い。また、Ｘ２及びＺ２、Ｙ３及びＺ３、Ｘ４及びＹ４においては、一方が窒素原子であった場合、他方は炭素原子である。これらＸ１、Ｙ１、Ｚ１、Ｘ２、Ｚ２、Ｙ３、Ｚ３、Ｘ４及びＹ４が炭素原子であった場合、当該炭素原子は置換基を有していても有していなくても良い。）
【請求項１１】
請求項７乃至請求項１０のいずれか一項の有機金属錯体を有する発光材料。
【請求項１２】
請求項７乃至請求項１０のいずれか一に記載の有機金属錯体を有する発光素子。
【請求項１３】
請求項６又は請求項１２に記載の発光素子と、
トランジスタ、または、基板と、
を有する発光装置。
【請求項１４】
請求項１３に記載の発光装置と、
センサ、操作ボタン、スピーカ、または、マイクと、
を有する電子機器。
【請求項１５】
請求項１３に記載の発光装置と、
筐体と、
を有する照明装置。